(57)【要約】【課題】ユーザの利用形態に応じることができる情報処理装置を提供すること。【解決手段】本発明の情報処理装置は、表示装置（２）を備えた情報処理装置本体部（１）と、情報処理装置本体部（１）に収納可能な情報処理用入力装置（３）とを具備している。情報処理装置本体部（１）は、情報処理装置本体部（１）に情報処理用入力装置（３）が収納されたときに、収納検出信号を出力する検出部と、複数のソフトウェアが格納された記憶装置と、実行部とを具備する。実行部は、複数のソフトウェアのうちの情報処理用ソフトウェアを起動し、情報処理用ソフトウェアの表示データである情報処理用表示データを表示装置（２）に表示する制御部を具備する。制御部は、検出部から収納検出信号が出力されたとき、複数のソフトウェアのうちの第１ＡＶ用ソフトウェアを起動し、第１ＡＶ用ソフトウェアの表示データである第１ＡＶ用表示データを表示装置（２）に表示する。【選択図】図１
2008204465.tif 000002
【特許請求の範囲】
【請求項１】
キーボードと、
前記キーボードが収納される収納部と、
ユーザの操作により前記キーボードが前記収納部に収納されたことに応じて、予め指定されていて且つリモートコントローラのみで操作可能なソフトウェアを起動するソフトウェア起動手段とを備えたことを特徴とする情報処理装置。
【請求項２】
前記キーボードが前記収納部に収納された後に、前記ソフトウェアが起動されるまでの残り時間をユーザに案内するための案内手段を更に備えたことを特徴とする請求項１に記載の情報処理装置。
【請求項３】
前記キーボードが前記収納部に収納された後に、前記ソフトウェアが起動されるまでの残り時間を、前記表示部に表示することによりユーザに案内する案内手段を更に備えたことを特徴とする請求項１に記載の情報処理装置。
【請求項４】
ユーザの操作により前記キーボードが前記収納部に収納された後、前記ソフトウェアが起動されるまでの間におけるユーザの所定の操作により、前記ソフトウェアの起動を中止する中止手段を更に備えたことを特徴とする請求項２又は３に記載の情報処理装置。
【請求項５】
表示部と、
前記起動されたソフトウェアにより生成される画像を、前記キーボードが前記収納部に格納された後、予め設定された時間経過後に前記表示部に表示する表示手段と、
前記キーボードが前記収納部に収納された後に、前記画像が前記表示手段により表示されるまでの残り時間を、前記表示部に表示することによりユーザに案内する案内手段とを更に備えたことを特徴とする請求項１に記載の情報処理装置。
【請求項６】
ユーザの操作により前記キーボードが前記収納部に収納された後、前記画像が前記表示手段により表示されるまでの間におけるユーザの所定の操作により、前記ソフトウェアの起動を中止する中止手段を更に備えたことを特徴とする請求項５に記載の情報処理装置。
【発明の詳細な説明】
【技術分野】
【０００１】
本発明は、表示データを表示する情報処理装置に関する。
【背景技術】
【０００２】
近年、ユーザが情報処理装置を使用しないときに、情報処理用入力装置であるキーボードを目立たないようにする傾向にある。
【０００３】
例えば、特許文献１、特許文献２に記載された情報処理装置は、デスクトップ型ＰＣであり、ＰＣのキーボードをカバーしたり、あるいは、ヒンジ部によりキーボードを開閉可能することにより、キーボードを収納するようにしている。また、特許文献３に記載された情報処理装置は、デスクトップ型ＰＣであり、表示装置を隠すことなくキーボードを収納するようにしている。
【０００４】
また、ノート型ＰＣである場合、キーボードを備えた第１筐体と、表示装置を備えた第２筐体とを、ヒンジ部により開閉する。第１筐体と第２筐体とが閉じられた場合、キーボードと表示装置は隠される。特許文献４に記載された情報処理装置は、省スペース型ＰＣであり、閉じられたときにキーボードが表示装置の一部を隠す形状である。この情報処理装置は、閉じられたときに、表示装置の隠されていない部分に特定のアプリケーションを表示するようにしている。
【０００５】
また、特許文献５に記載された情報処理装置は、閉じることによってキーボードと表示装置とを隠すことができる。また、この情報処理装置は、表示装置を隠すことなくキーボードを収納することもできる。この情報処理装置では、収納を感知し、マウス入力又はペン入力の可能なソフトキーを表示装置に自動的に表示する。
【０００６】
【特許文献１】特開２００１−１２５６７１号公報
【特許文献２】特開２００１−４２９７０号公報
【特許文献３】特開平３−２２５４０４号公報
【特許文献４】特開２００３−２７１２８０号公報
【特許文献５】特開２００１−２８２３８８号公報
【発明の開示】
【発明が解決しようとする課題】
【０００７】
本発明の課題は、ユーザの利用形態に応じることができる情報処理装置を提供することにある。
【０００８】
本発明の他の課題は、ユーザが戸惑うことなく利用することができる情報処理装置を提供することにある。
【０００９】
本発明の更に他の課題は、ユーザのニーズに対応することができる情報処理装置を提供することにある。
【課題を解決するための手段】
【００１０】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１１】
本発明の第１の観点として情報処理装置は、情報処理装置本体部（１）と、情報処理装置本体部（１）に収納可能な情報処理用入力装置（３）とを具備している。
【００１２】
情報処理装置本体部（１）は、情報処理装置本体部（１）に情報処理用入力装置（３）が収納されたときに、収納検出信号を出力する検出部（１１）と、複数のソフトウェア（２３）が格納された記憶装置（１３）と、実行部（１２）と、表示装置（２）とを具備する。
【００１３】
実行部（１２）は、複数のソフトウェア（２３）のうちの情報処理用ソフトウェア（３０）を起動し、情報処理用ソフトウェア（３０）の表示データである情報処理用表示データを表示装置（２）に表示する制御部（２１）を具備する。情報処理用ソフトウェア（３０）は、情報処理を行なうためのソフトウェアであり、キーボード３からのテキスト入力に代表されるような文書作成、表計算等を実行する。
【００１４】
制御部（２１）は、検出部（１１）から収納検出信号が出力されたとき、複数のソフトウェア（２３）のうちの第１ＡＶ用ソフトウェアを起動し、第１ＡＶ用ソフトウェアの表示データである第１ＡＶ用表示データを表示装置（２）に表示する。
【００１５】
本発明の情報処理装置をユーザが利用する利用形態としては、情報処理用ソフトウェア（３０）の利用と、ＡＶ用ソフトウェアの利用とが挙げられる。ユーザは、情報処理用ソフトウェア（３０）を利用するときに情報処理用入力装置（３）を使用する必要がある。一方、ユーザは、ＡＶ用ソフトウェアとして第１ＡＶ用ソフトウェアを利用するときに情報処理用入力装置（３）に代替しリモート端末（６）のようなＡＶ操作に適した別の指示入力装置である操作部を使用する方が一般的である。あるいは、情報処理用入力装置（３）の使用頻度は極めて少ない。ユーザが第１ＡＶ用ソフトウェアを利用するときは、情報処理用入力装置（３）が目立たないことが好ましい。そこで、本発明の情報処理装置では、ユーザが情報処理装置本体部（１）に情報処理用入力装置（３）を収納したときに、第１ＡＶ用ソフトウェアを起動する。このように、本発明の情報処理装置によれば、ユーザの利用形態に応じることができる。
【００１６】
本発明の情報処理装置は、更に、ユーザの指示を情報処理装置本体部（１）に送信する操作部（６、７）を具備する。
【００１７】
記憶装置（１３）には、第１ＡＶ用ソフトウェア起動情報が更に格納されている。
【００１８】
検出部（１１）が収納検出信号を出力してから所定時間が経過するまでに、操作部（６、７）が操作されないとき、制御部（２１）は、記憶装置（１３）に格納された第１ＡＶ用ソフトウェア起動情報に従って、第１ＡＶ用ソフトウェアを起動し、第１ＡＶ用表示データを表示装置（２）に表示する。
【００１９】
ユーザは、例えば、情報処理用ソフトウェア（３０）の利用を終了したいときに、ノート型ＰＣと同じような考え方として、情報処理装置本体部（１）に情報処理用入力装置（３）を収納する場合が考えられる。また、ユーザは、意図せずに情報処理装置本体部（１）に情報処理用入力装置（３）を収納してしまう場合が考えられる。このような場合、第１ＡＶ用ソフトウェアが起動してしまっては、ユーザは戸惑ってしまう。そこで、本発明の情報処理装置では、検出部（１１）が収納検出信号を出力してから所定時間が経過するまでに、操作部（６、７）が操作されないとき、第１ＡＶ用ソフトウェアを起動する。このように、本発明の情報処理装置によれば、ユーザが戸惑うことなく利用することができる。
【００２０】
本発明の情報処理装置において、実行部（１２）は、所定時間内に操作部（６、７）が操作されたとき、設定画面（１００）を表示装置（２）に表示する設定部（２２）を更に具備する。
【００２１】
設定画面（１００）は、複数のソフトウェア（２３）のうちの選択ソフトウェアをユーザが選択するための選択画面（１０１）を含む。
【００２２】
表示装置（２）に設定画面（１００）が表示されているときに選択ソフトウェアとして複数のソフトウェア（２３）のうちの第２ＡＶ用ソフトウェアが選択された場合、設定部（２２）は、第１ＡＶ用ソフトウェア起動情報に代えて、第２ＡＶ用ソフトウェア起動情報を記憶装置（１３）に格納する。この場合、制御部（２１）は、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示する。
【００２３】
ユーザは、情報処理装置本体部（１）に情報処理用入力装置（３）を収納したときに、利用形態の変更として、第２ＡＶ用ソフトウェアを利用したい場合が考えられる。このような場合、情報処理装置本体部（１）に情報処理用入力装置（３）を収納する度に、第１ＡＶ用ソフトウェアが起動してしまっては、ユーザのニーズに対応することができない。そこで、本発明の情報処理装置では、所定時間内に操作部（６、７）が操作されたとき、選択画面（１０１）を含む設定画面（１００）を表示装置（２）に表示し、選択画面（１０１）によりユーザが第２ＡＶ用ソフトウェアを選択した場合、第２ＡＶ用ソフトウェアを起動する。このように、本発明の情報処理装置によれば、ユーザのニーズに対応することができる。
【００２４】
本発明の情報処理装置において、設定部（２２）は、検出部（１１）が収納検出信号を出力してから所定時間が経過するまで、カウントダウンの結果を表すカウントダウン画面（９０）を表示装置（２）に表示する。
【００２５】
表示装置（２）にカウントダウン画面（９０）が表示されているときに操作部（６、７）が操作されない場合、制御部（２１）は、記憶装置（１３）に格納された第１ＡＶ用ソフトウェア起動情報に従って、第１ＡＶ用ソフトウェアを起動し、第１ＡＶ用表示データを表示装置（２）に表示する。
【００２６】
表示装置（２）にカウントダウン画面（９０）が表示されているときに操作部（６、７）が操作された場合、設定部（２２）は、カウントダウン画面（９０）に代えて、設定画面（１００）を表示装置（２）に表示する。
【００２７】
ユーザは、情報処理装置本体部（１）に情報処理用入力装置（３）を収納して、利用形態を変更したい場合、所定時間内に操作部（６、７）を操作して、選択画面（１０１）を含む設定画面（１００）を表示装置（２）に表示させればよい。このような場合、ユーザが所定時間を把握していなくては、ユーザのニーズに対応することができない。そこで、本発明の情報処理装置では、まず、検出部（１１）が収納検出信号を出力してから所定時間が経過するまで、カウントダウン画面（９０）を表示装置（２）に表示する。次に、本発明の情報処理装置は、ユーザが操作部（６、７）を操作したとき、選択画面（１０１）を含む設定画面（１００）を表示装置（２）に表示し、選択画面（１０１）によりユーザが第２ＡＶ用ソフトウェアを選択した場合、第２ＡＶ用ソフトウェアを起動する。このように、本発明の情報処理装置によれば、ユーザのニーズに対応することができる。
【００２８】
本発明の情報処理装置において、実行部（１２）は、検出部（１１）から収納検出信号が出力されたとき、設定画面（１００）を表示装置（２）に表示する設定部（２２）を更に具備する。
【００２９】
設定画面（１００）は、複数のソフトウェア（２３）のうちの選択ソフトウェアをユーザが選択するための選択画面（１０１）を含む。
【００３０】
表示装置（２）に設定画面（１００）が表示されているときに所定時間内に操作部（６、７）が操作されない場合、制御部（２２）は、記憶装置（１３）に格納された前記第１ＡＶ用ソフトウェア起動情報に従って、第１ＡＶ用ソフトウェアを起動し、第１ＡＶ用表示データを表示装置（２）に表示する。
【００３１】
表示装置（２）に設定画面（１００）が表示されているときに選択ソフトウェアとして複数のソフトウェア（２３）のうちの第２ＡＶ用ソフトウェアが選択された場合、設定部（２２）は、第１ＡＶ用ソフトウェア起動情報に代えて、第２ＡＶ用ソフトウェア起動情報を記憶装置（１３）に格納する。この場合、制御部（２１）は、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示する。
【００３２】
ユーザは、情報処理装置本体部（１）に情報処理用入力装置（３）を収納したときに、利用形態の変更として、第２ＡＶ用ソフトウェアを利用したい場合が考えられる。このような場合、情報処理装置本体部（１）に情報処理用入力装置（３）を収納する度に、第１ＡＶ用ソフトウェアが起動してしまっては、ユーザのニーズに対応することができない。そこで、本発明の情報処理装置では、選択画面（１０１）を含む設定画面（１００）が表示装置（２）に表示されているときに所定時間内に操作部（６、７）が操作され、選択画面（１０１）によりユーザが第２ＡＶ用ソフトウェアを選択した場合、第２ＡＶ用ソフトウェアを起動する。このように、本発明の情報処理装置によれば、ユーザのニーズに対応することができる。
【００３３】
本発明の情報処理装置において、設定部（２２）は、検出部（１１）が収納検出信号を出力してから所定時間が経過するまで、カウントダウンの結果を表すカウントダウン画面（９０）を表示装置（２）に表示する。
【００３４】
表示装置（２）にカウントダウン画面（９０）と設定画面（１００）とが表示されているときに操作部（６、７）が操作されない場合、制御部（２１）は、記憶装置（１３）に格納された第１ＡＶ用ソフトウェア起動情報に従って、第１ＡＶ用ソフトウェアを起動し、第１ＡＶ用表示データを表示装置（２）に表示する。
【００３５】
表示装置（２）に設定画面（１００）が表示されているときに選択ソフトウェアとして第２ＡＶ用ソフトウェアが選択された場合、設定部（２２）は、第１ＡＶ用ソフトウェア起動情報に代えて、第２ＡＶ用ソフトウェア起動情報を記憶装置（１３）に格納する。このとき、制御部（２１）は、記憶装置（１３）に格納された第２ＡＶ用ソフトウェア起動情報に従って、第２ＡＶ用ソフトウェアを起動し、第２ＡＶ用表示データを表示装置（２）に表示する。
【００３６】
ユーザは、情報処理装置本体部（１）に情報処理用入力装置（３）を収納して、利用形態を変更したい場合、選択画面（１０１）を含む設定画面（１００）が表示装置（２）に表示されているときに所定時間内に操作部（６、７）を操作すればよい。このような場合、ユーザが所定時間を把握していなくては、ユーザのニーズに対応することができない。
そこで、本発明の情報処理装置では、まず、検出部（１１）が収納検出信号を出力してから所定時間が経過するまで、カウントダウン画面（９０）と設定画面（１００）とを表示装置（２）に表示する。次に、本発明の情報処理装置は、選択画面（１０１）を含む設定画面（１００）が表示装置（２）に表示されているときに所定時間内に操作部（６、７）が操作され、選択画面（１０１）によりユーザが第２ＡＶ用ソフトウェアを選択した場合、第２ＡＶ用ソフトウェアを起動する。このように、本発明の情報処理装置によれば、ユーザのニーズに対応することができる。
【００３７】
本発明の情報処理装置において、設定画面（１００）は、更に、ユーザが操作部（６、７）によりカウント値を指定するための時間設定画面（１０２）を含む。
【００３８】
設定部（２２）は、ユーザにより指定されたカウント値を記憶装置（１３）に格納する。
【００３９】
記憶装置（１３）に格納されたカウント値は、所定時間に対応する。
【００４０】
ユーザが情報処理装置本体部（１）から情報処理用入力装置（３）を引出し、再度、情報処理装置本体部（１）に情報処理用入力装置（３）を収納したときに、設定部（２２）は、記憶装置（１３）に格納されたカウント値に従って、カウントダウン画面（９０）を表示装置（２）に表示する。
【００４１】
ユーザは、情報処理装置本体部（１）に情報処理用入力装置（３）を収納して、利用形態を変更したいとき、そのユーザにとって所定時間（カウント値）が短く感じる場合がある。あるいは、長く感じる場合がある。このような場合、ユーザが所定時間（カウント値）を自由に変更できなくては、ユーザのニーズに対応することができない。そこで、所定時間が３秒であり、ユーザは、その所定時間（カウント値）を短く感じる場合、カウント値“３”をカウント値“５”に変更すればよい。これにより、ユーザが情報処理装置本体部（１）から情報処理用入力装置（３）を引出し、再度、情報処理装置本体部（１）に情報処理用入力装置（３）を収納したときに、設定部（２２）は、記憶装置（１３）に格納されたカウント値に従って、所定時間として５秒間、カウントダウン画面（９０）を表示装置（２）に表示する。このように、本発明の情報処理装置によれば、ユーザのニーズに対応することができる。
【００４２】
本発明の情報処理装置において、複数のソフトウェア（２３）のうちのＡＶ用ソフトウェアは、ＴＶを視聴するためのＴＶ用ソフトウェア（４１）と、ディスクを視聴するためのディスク用ソフトウェア（４２）と、音楽を聴くための音楽用ソフトウェア（４３）と、取得されたコンテンツを視聴するためのコンテンツ用ソフトウェア（４４）との少なくとも２つを含む。ディスクはリームバブルメディア対応のディスクであり、リームバブルメディア対応のディスクとしてはＤＶＤ（Ｄｉｇｉｔａｌ  Ｖｅｒｓａｔｉｌｅ  Ｄｉｓｋ）が例示される。
【００４３】
第１ＡＶ用ソフトウェアは、上記少なくとも２つのうちの１つのＡＶ用ソフトウェアである。
【００４４】
本発明の情報処理装置において、第２ＡＶ用ソフトウェアは、上記少なくとも２つのうちの他の１つのＡＶ用ソフトウェアである。
【００４５】
本発明の第２の観点として表示データ制御方法は、複数のソフトウェア（２３）が格納された記憶装置（１３）と、表示装置（２）を備えた情報処理装置本体部（１）と、ユーザの指示を情報処理装置本体部（１）に送信する操作部（６、７）と、情報処理装置本体部（１）に収納可能な情報処理用入力装置（３）とを具備する情報処理装置を用いた方法である。
【００４６】
本発明の表示データ制御方法は、複数のソフトウェア（２３）のうちの情報処理用ソフトウェア（３０）を起動し、情報処理用ソフトウェア（３０）の表示データである情報処理用表示データを表示装置（２）に表示する通常時表示制御ステップと、情報処理装置本体部（１）に情報処理用入力装置（３）が収納されたときに（Ｓ１−ＹＥＳ）、複数のソフトウェア（２３）のうちの第１ＡＶ用ソフトウェアを起動し、第１ＡＶ用ソフトウェアの表示データである第１ＡＶ用表示データを表示装置（２）に表示する収納時表示制御ステップ（Ｓ２〜Ｓ６）とを具備する。
【００４７】
本発明の表示データ制御方法において、記憶装置（１３）には、第１ＡＶ用ソフトウェア起動情報が更に格納されている。
【００４８】
収納時表示制御ステップ（Ｓ２〜Ｓ６）は、情報処理装置本体部（１）に情報処理用入力装置（３）が収納されてから所定時間が経過するまでに、操作部（６、７）が操作されないとき、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ３−ＮＯ、Ｓ６）を含む。
【００４９】
本発明の表示データ制御方法において、収納時表示制御ステップ（Ｓ２〜Ｓ６）は、更に、所定時間内に操作部（６、７）が操作されたとき、設定画面（１００）を表示装置（２）に表示するステップ（Ｓ４）を含む。
【００５０】
設定画面（１００）は、複数のソフトウェア（２３）のうちの選択ソフトウェアをユーザが選択するための選択画面（１０１）を含む。
【００５１】
収納時表示制御ステップは、更に、表示装置（２）に設定画面（１００）が表示されているときに選択ソフトウェアとして複数のソフトウェア（２３）のうちの第２ＡＶ用ソフトウェアが選択された場合、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示するステップ（Ｓ６）とを含む。
【００５２】
本発明の表示データ制御方法において、収納時表示制御ステップ（Ｓ２〜Ｓ６）は、更に、情報処理装置本体部（１）に情報処理用入力装置（３）が収納されてから所定時間が経過するまで、カウントダウンの結果を表すカウントダウン画面（９０）を表示装置（２）に表示するステップ（Ｓ２）を含む。
【００５３】
収納時表示制御ステップは、更に、表示装置（２）にカウントダウン画面（９０）が表示されているときに操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）にカウントダウン画面（９０）が表示されているときに操作部（６、７）が操作された場合（Ｓ３−ＹＥＳ）、カウントダウン画面（９０）に代えて、設定画面（１００）を表示装置（２）に表示するステップ（Ｓ６）とを含む。
【００５４】
本発明の表示データ制御方法において、収納時表示制御ステップ（Ｓ２〜Ｓ６）は、更に、情報処理装置本体部（１）に前記情報処理用入力装置（３）が収納されたとき、設定画面（１００）を表示装置（２）に表示するステップ（Ｓ２’）を含む。
【００５５】
設定画面（１００）は、複数のソフトウェア（２３）のうちの選択ソフトウェアをユーザが選択するための選択画面（１０１）を含む。
【００５６】
収納時表示制御ステップは、更に、表示装置（２）に設定画面（１００）が表示されているときに所定時間内に操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）に設定画面（１００）が表示されているときに選択ソフトウェアとして複数のソフトウェア（２３）のうちの第２ＡＶ用ソフトウェアが選択された場合（Ｓ３−ＹＥＳ）、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示するステップ（Ｓ６）とを含む。
【００５７】
本発明の表示データ制御方法において、収納時表示制御ステップ（Ｓ２〜Ｓ６）は、更に、情報処理装置本体部（１）に情報処理用入力装置（３）が収納されてから所定時間が経過するまで、カウントダウンの結果を表すカウントダウン画面（９０）を表示装置（２）に表示するステップ（Ｓ２’）を含む。
【００５８】
収納時表示制御ステップは、更に、表示装置（２）にカウントダウン画面（９０）と設定画面（１００）とが表示されているときに操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）に設定画面（１００）が表示されているときに選択ソフトウェアとして第２ＡＶ用ソフトウェアが選択された場合（Ｓ３−ＹＥＳ）、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用表示データを表示装置（２）に表示するステップ（Ｓ６）とを含む。
【００５９】
本発明の表示データ制御方法において、設定画面（１００）は、更に、ユーザが操作部（６、７）によりカウント値を指定するための時間設定画面（１０２）を含む。
【００６０】
収納時表示制御ステップ（Ｓ２〜Ｓ６）は、更に、ユーザにより指定されたカウント値を記憶装置（１３）に格納するステップ（Ｓ５）を含む。
【００６１】
記憶装置（１３）に格納されたカウント値は、所定時間に対応する。
【００６２】
収納時表示制御ステップは、更に、ユーザが情報処理装置本体部（１）から情報処理用入力装置（３）を引出し、再度、情報処理装置本体部（１）に情報処理用入力装置（３）を収納したときに、記憶装置（１３）に格納されたカウント値に従って、カウントダウン画面（９０）を表示装置（２）に表示するステップ（Ｓ１−ＹＥＳ、Ｓ２）を含む。
【００６３】
本発明の表示データ制御方法において、複数のソフトウェア（２３）のうちのＡＶ用ソフトウェアは、ＴＶを視聴するためのＴＶ用ソフトウェア（４１）と、ディスクを視聴するためのディスク用ソフトウェア（４２）と、音楽を聴くための音楽用ソフトウェア（４３）と、取得されたコンテンツを視聴するためのコンテンツ用ソフトウェア（４４）との少なくとも２つを含む。ディスクはリームバブルメディア対応のディスクであり、リームバブルメディア対応のディスクとしてはＤＶＤ（Ｄｉｇｉｔａｌ  Ｖｅｒｓａｔｉｌｅ  Ｄｉｓｋ）が例示される。
【００６４】
第１ＡＶ用ソフトウェアは、上記少なくとも２つのうちの１つのＡＶ用ソフトウェアである。
【００６５】
本発明の表示データ制御方法において、第２ＡＶ用ソフトウェアは、上記少なくとも２つのうちの他の１つのＡＶ用ソフトウェアである。
【００６６】
本発明の第３の観点としてコンピュータプログラムは、複数のソフトウェア（２３）が格納された記憶装置（１３）と、表示装置（２）を備えた情報処理装置本体部（１）と、ユーザの指示を情報処理装置本体部（１）に送信する操作部（６、７）と、情報処理装置本体部（１）に収納可能な情報処理用入力装置（３）とを具備するコンピュータに実行させるプログラムである。
【００６７】
本発明のコンピュータプログラムは、複数のソフトウェア（２３）のうちの情報処理用ソフトウェア（３０）を起動し、情報処理用ソフトウェア（３０）の表示データである情報処理用表示データを表示装置（２）に表示する通常時表示制御ステップと、情報処理装置本体部（１）に情報処理用入力装置（３）が収納されたときに（Ｓ１−ＹＥＳ）、複数のソフトウェア（２３）のうちの第１ＡＶ用ソフトウェアを起動し、第１ＡＶ用ソフトウェアの表示データである第１ＡＶ用表示データを表示装置（２）に表示する収納時表示制御ステップ（Ｓ２〜Ｓ６）との各ステップをコンピュータに実行させる。
【００６８】
本発明のコンピュータプログラムにおいて、記憶装置（１３）には、第１ＡＶ用ソフトウェア起動情報が更に格納されている。
【００６９】
収納時表示制御ステップ（Ｓ２〜Ｓ６）は、情報処理装置本体部（１）に情報処理用入力装置（３）が収納されてから所定時間が経過するまでに、操作部（６、７）が操作されないとき、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ３−ＮＯ、Ｓ６）を含む。
【００７０】
本発明のコンピュータプログラムにおいて、収納時表示制御ステップ（Ｓ２〜Ｓ６）は、更に、所定時間内に操作部（６、７）が操作されたとき、設定画面（１００）を表示装置（２）に表示するステップ（Ｓ４）を含む。
【００７１】
設定画面（１００）は、複数のソフトウェア（２３）のうちの選択ソフトウェアをユーザが選択するための選択画面（１０１）を含む。
【００７２】
収納時表示制御ステップは、更に、表示装置（２）に設定画面（１００）が表示されているときに選択ソフトウェアとして複数のソフトウェア（２３）のうちの第２ＡＶ用ソフトウェアが選択された場合、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示するステップ（Ｓ６）とを含む。
【００７３】
本発明のコンピュータプログラムにおいて、収納時表示制御ステップ（Ｓ２〜Ｓ６）は、更に、情報処理装置本体部（１）に情報処理用入力装置（３）が収納されてから所定時間が経過するまで、カウントダウンの結果を表すカウントダウン画面（９０）を表示装置（２）に表示するステップ（Ｓ２）を含む。
【００７４】
収納時表示制御ステップは、更に、表示装置（２）にカウントダウン画面（９０）が表示されているときに操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）にカウントダウン画面（９０）が表示されているときに操作部（６、７）が操作された場合（Ｓ３−ＹＥＳ）、カウントダウン画面（９０）に代えて、設定画面（１００）を表示装置（２）に表示するステップ（Ｓ６）とを含む。
【００７５】
本発明のコンピュータプログラムにおいて、収納時表示制御ステップ（Ｓ２〜Ｓ６）は、更に、情報処理装置本体部（１）に情報処理用入力装置（３）が収納されたとき、設定画面（１００）を表示装置（２）に表示するステップ（Ｓ２’）を含む。
【００７６】
設定画面（１００）は、複数のソフトウェア（２３）のうちの選択ソフトウェアをユーザが選択するための選択画面（１０１）を含む。
【００７７】
収納時表示制御ステップは、更に、表示装置（２）に設定画面（１００）が表示されているときに所定時間内に操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）に設定画面（１００）が表示されているときに選択ソフトウェアとして複数のソフトウェア（２３）のうちの第２ＡＶ用ソフトウェアが選択された場合（Ｓ３−ＹＥＳ）、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用ソフトウェアの表示データである第２ＡＶ用表示データを表示装置（２）に表示するステップ（Ｓ６）とを含む。
【００７８】
本発明のコンピュータプログラムにおいて、収納時表示制御ステップ（Ｓ２〜Ｓ６）は、更に、情報処理装置本体部（１）に情報処理用入力装置（３）が収納されてから所定時間が経過するまで、カウントダウンの結果を表すカウントダウン画面（９０）を表示装置（２）に表示するステップ（Ｓ２’）を含む。
【００７９】
収納時表示制御ステップは、更に、表示装置（２）にカウントダウン画面（９０）と設定画面（１００）とが表示されているときに操作部（６、７）が操作されない場合（Ｓ３−ＮＯ）、記憶装置（１３）に格納された第１ＡＶ用ソフトウェア起動情報に従って、第１ＡＶ用ソフトウェアを起動し、第１ＡＶ用表示データを表示装置（２）に表示するステップ（Ｓ６）と、表示装置（２）に設定画面（１００）が表示されているときに選択ソフトウェアとして第２ＡＶ用ソフトウェアが選択された場合（Ｓ３−ＹＥＳ）、第１ＡＶ用ソフトウェア起動情報に代えて、第２ＡＶ用ソフトウェア起動情報を記憶装置（１３）に格納するステップ（Ｓ５）と、記憶装置（１３）に格納された第２ＡＶ用ソフトウェア起動情報に従って、第２ＡＶ用ソフトウェアを起動し、第２ＡＶ用表示データを表示装置（２）に表示するステップ（Ｓ６）とを含む。
【００８０】
本発明のコンピュータプログラムにおいて、設定画面（１００）は、更に、ユーザが操作部（６、７）によりカウント値を指定するための時間設定画面（１０２）を含む。
【００８１】
収納時表示制御ステップ（Ｓ２〜Ｓ６）は、更に、ユーザにより指定されたカウント値を記憶装置（１３）に格納するステップ（Ｓ５）を含む。
【００８２】
記憶装置（１３）に格納されたカウント値は、所定時間に対応する。
【００８３】
収納時表示制御ステップは、更に、ユーザが情報処理装置本体部（１）から情報処理用入力装置（３）を引出し、再度、情報処理装置本体部（１）に情報処理用入力装置（３）を収納したときに、記憶装置（１３）に格納されたカウント値に従って、カウントダウン画面（９０）を表示装置（２）に表示するステップ（Ｓ１−ＹＥＳ、Ｓ２）を含む。
【００８４】
本発明のコンピュータプログラムにおいて、複数のソフトウェア（２３）のうちのＡＶ用ソフトウェアは、ＴＶを視聴するためのＴＶ用ソフトウェア（４１）と、ディスクを視聴するためのディスク用ソフトウェア（４２）と、音楽を聴くための音楽用ソフトウェア（４３）と、取得されたコンテンツを視聴するためのコンテンツ用ソフトウェア（４４）との少なくとも２つを含む。ディスクはリームバブルメディア対応のディスクであり、リームバブルメディア対応のディスクとしてはＤＶＤ（Ｄｉｇｉｔａｌ  Ｖｅｒｓａｔｉｌｅ  Ｄｉｓｋ）が例示される。
【００８５】
第１ＡＶ用ソフトウェアは、上記少なくとも２つのうちの１つのＡＶ用ソフトウェアである。
【００８６】
本発明のコンピュータプログラムにおいて、第２ＡＶ用ソフトウェアは、上記少なくとも２つのうちの他の１つのＡＶ用ソフトウェアである。
【発明の効果】
【００８７】
以上の構成により、本発明の情報処理装置は、ユーザの利用形態に応じることができる。
【００８８】
また、本発明の情報処理装置は、ユーザが戸惑うことなく利用することができる。
【００８９】
また、本発明の情報処理装置は、ユーザのニーズに対応することができる。
【発明を実施するための最良の形態】
【００９０】
以下に添付図面を参照して、本発明の情報処理装置について詳細に説明する。
【００９１】
図１は、本発明の情報処理装置の構成を示すブロック図である。本発明の情報処理装置は、デスクトップ型のコンピュータであり、情報処理装置本体部１と、表示装置２とを具備している。表示装置２は、情報処理装置本体部１に接続されている。情報処理装置本体部１と表示装置２とは一体化されて形成されている。表示装置２としてはＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、プラズマディスプレイが例示される。
【００９２】
本発明の情報処理装置は、情報処理を行なうためのＰＣ（Ｐｅｒｓｏｎａｌ  Ｃｏｍｐｕｔｅｒ）として利用される。本発明の情報処理装置は、更に、情報処理用入力装置と、操作部とを具備している。情報処理用入力装置としては、キーボード３が例示される。キーボード３は、キーボタンを備えている。キーボード３は、近距離無線通信（例示；赤外線通信、Ｂｌｕｅｔｏｏｔｈ）を行なう近距離無線通信部（図示省略）を更に備え、ユーザの操作に応じた命令を近距離無線通信により情報処理装置本体部１に出力する。操作部は、ポインティングデバイス７を含んでいる。ポインティングデバイス７は、近距離無線通信を行なう近距離無線通信部（図示省略）を含み、ユーザの操作に応じた命令を近距離無線通信により情報処理装置本体部１に出力する。
【００９３】
本発明の情報処理装置は、更に、ＡＶ（Ａｕｄｉｏ  Ｖｉｓｕａｌ）機器として利用される。操作部は、更に、リモートコントロール端末（以下、リモート端末）６を含んでいる。リモート端末６は、操作ボタン（図示省略）を備えている。リモート端末６は、近距離無線通信を行なう近距離無線通信部（図示省略）を含み、ユーザの操作に応じた命令を近距離無線通信により情報処理装置本体部１に出力する。ユーザは、リモート端末６を操作することにより、ＰＣ、ＡＶ機器を利用することができる。
【００９４】
本発明の情報処理装置は、更に、アンテナ４と、スピーカ５とを具備している。アンテナ４、スピーカ５は、情報処理装置本体部１に接続されている。アンテナ４は、ユーザがＡＶ機器としてテレビジョン（以下、テレビ）を楽しむときに、情報処理装置本体部１により用いられる。アンテナ４は、テレビの地上波信号を受信する。スピーカ５は、ユーザがＡＶ機器としてテレビ、動画、音楽における音声データ（アナログ音声データ）を楽しむときに、情報処理装置本体部１により用いられる。
【００９５】
図２は、本発明の情報処理装置の正面図である。情報処理装置本体部１には、ＡＶ機器として、ディスクドライブ８が設けられている。ディスクドライブ８には、リームバブルメディア対応のディスクが挿入・収納される。リームバブルメディア対応のディスクとしては、ＤＶＤ（Ｄｉｇｉｔａｌ  Ｖｅｒｓａｔｉｌｅ  Ｄｉｓｋ）が例示される。以下、ディスクドライブ８をＤＶＤドライブ８と称する。情報処理装置本体部１とキーボード３は、机上で利用される。そのキーボード３は、机上で情報処理装置本体部１に向かってスライドすることにより、情報処理装置本体部１に収納可能である。情報処理装置本体部１には、キーボード３が収納されたときに点灯するＬＥＤ（Ｌｉｇｈｔ  Ｅｍｉｔｔｉｎｇ  Ｄｉｏｄｅ）９が設けられている。
【００９６】
図３は、本発明の情報処理装置の情報処理装置本体部１の構成を示すブロック図である。情報処理装置本体部１は、制御装置１０と、検出部１１とを具備している。検出部１１は、制御装置１０に接続されている。検出部１１は、情報処理装置本体部１にキーボード３が収納されたときに、収納検出信号を制御装置１０に出力する。この検出部１１は、キーボード３が情報処理装置本体部１に完全に収まったときに機械音を発生して、ユーザに知らせる。制御装置１０は、収納検出信号に応じて、ＬＥＤ９を点灯させ、後述の収納処理を実行する。検出部１１は、情報処理装置本体部１からキーボード３が引出されたときに、引出検出信号を制御装置１０に出力する。制御装置１０は、引出検出信号に応じて、後述の引出処理を実行する。
【００９７】
図４は、本発明の情報処理装置における情報処理装置本体部１の制御装置１０の構成を示すブロック図である。制御装置１０は、実行部であるＣＰＵ（Ｃｅｎｔｒａｌ  Ｐｒｏｃｅｓｓｉｎｇ  Ｕｎｉｔ）１２と、記憶装置１３と、受信機１５と、送信機１８と、接続制御部１９と、上記のＤＶＤドライブ８と、上記のＬＥＤ９とを具備している。ＤＶＤドライブ８に利用されるものとして、ＤＶＤ、ＣＤ（Ｃｏｍｐａｃｔ  Ｄｉｓｃ）が例示される。接続制御部１９は、情報処理用の端子と、ＴＶ用の端子とを含んでいる。情報処理用の端子に利用されるものとして、インターネット用の電話回線、ＬＡＮ（Ｌｏｃａｌ  Ａｒｅａ  Ｎｅｔｗｏｒｋ）用の回線、ＵＳＢ（Ｕｎｉｖｅｒｓａｌ  Ｓｅｒｉａｌ  Ｂｕｓ）が例示される。例えば情報処理用の端子に電話回線が接続された場合、制御装置１０は、ネットワークからのデータを、受信機１５を介して受信し、ネットワークへのデータを、送信機１８を介して送信する。接続制御部１９は、更に、音楽用のドライブを含んでいる。音楽用のドライブに利用されるものとして、メモリカードが例示される。
【００９８】
受信機１５は、チューナ１６と、デコーダ１７とを具備している。チューナ１６は、アンテナ４により受信された地上波信号を、表示データと音声データとに変換する。デコーダ１７は、チューナ１６により変換された音声データをアナログ音声データに変換し、スピーカ５は、アナログ音声データを出力する。
【００９９】
記憶装置１３には、ＣＰＵ１２が実行するためのコンピュータプログラム２０、データベース１４が格納されている。コンピュータプログラム２０は、制御部（制御プログラム）２１、設定部（設定プログラム）２２、ソフトウェア（プログラム）２３を含んでいる。ソフトウェア２３は、複数のソフトウェアを含んでいる。制御部２１は、後述の通常処理、収納処理、引出処理を実行する。設定部２２は、後述の収納処理を実行する。収納処理は、情報処理装置本体部１にキーボード３が収納されたときの動作を表す。引出処理は、情報処理装置本体部１からキーボード３が引出されたときの動作を表す。通常処理は、ユーザが情報処理装置本体部１にキーボード３を収納したり、ユーザが情報処理装置本体部１からキーボード３を引出したりすることに関わらず、ユーザが操作部（リモート端末６、ポインティングデバイス７）を操作したときの動作を表す。
【０１００】
本発明の情報処理装置をユーザが利用する利用形態としては、情報処理用ソフトウェアの利用と、ＡＶ用ソフトウェアの利用とが挙げられる。
【０１０１】
図５は、本発明の情報処理装置における情報処理装置本体部１の制御装置１０内のソフトウェア２３を示す。ソフトウェア２３は、情報処理用ソフトウェア３０、ＡＶ用ソフトウェア４０を含んでいる。
【０１０２】
情報処理用ソフトウェア３０は、情報処理を行なうためのソフトウェアであり、キーボード３からのテキスト入力に代表されるような文書作成、表計算等を実行する。
【０１０３】
ＡＶ用ソフトウェア４０は、ＡＶ機器を利用するためのソフトウェアである。ＡＶ用ソフトウェア４０は、ＴＶを視聴するためのＴＶ用ソフトウェア４１と、ＤＶＤを視聴するためのＤＶＤ用ソフトウェア４２と、音楽を聴くための音楽用ソフトウェア４３と、取得されたコンテンツを視聴するためのＡＶコンテンツ視聴・閲覧用ソフトウェア（コンテンツ用ソフトウェア）４４とを含んでいる。ＡＶコンテンツ視聴・閲覧用ソフトウェア４４としては、Ｍｅｄｉａ  Ｇａｒａｇｅ（登録商標）が例示される。以下、ＡＶコンテンツ視聴・閲覧用ソフトウェア４４をＭＧ用ソフトウェア４４と称する。
【０１０４】
ＡＶ用ソフトウェア４０は、更に、スクリーンセーバ用ソフトウェア５１と、スライドショー用ソフトウェア５２と、時計用ソフトウェア５３と、ユーザ指定用ソフトウェア５４とを含んでいる。
【０１０５】
制御部２１が実行する通常処理について説明する。
【０１０６】
ユーザが操作部（リモート端末６、ポインティングデバイス７）を操作して情報処理用ソフトウェア３０の起動を指示（命令）する。この場合、制御部２１は、指示された情報処理用ソフトウェア３０を起動し、情報処理用ソフトウェア３０の表示データである情報処理用表示データを表示装置２に表示する。ユーザは、キーボード３により情報処理用ソフトウェア３０を利用することができ、文書作成、表計算を行なうことができる。
【０１０７】
情報処理用ソフトウェア３０が起動されているときに、ユーザが操作部（リモート端末６、ポインティングデバイス７）を操作してＡＶ用ソフトウェア４０のうち、例えばＴＶ用ソフトウェア４１の起動を指示（命令）する。この場合、制御部２１は、指示されたＴＶ用ソフトウェア４１を起動し、ＴＶ用ソフトウェア４１の表示データであるＴＶ用表示データを表示装置２に表示する。
【０１０８】
ＡＶ用ソフトウェア４０としてＴＶ用ソフトウェア４１が起動されているときに、ユーザが操作部（リモート端末６、ポインティングデバイス７）を操作してＴＶ用ソフトウェア４１の起動の終了を指示（命令）する。この場合、制御部２１は、指示されたＴＶ用ソフトウェア４１の起動の終了を実行する。
【０１０９】
情報処理用ソフトウェア３０が起動されているときに、ユーザが操作部（リモート端末６、ポインティングデバイス７）を操作してＡＶ用ソフトウェア４０のうち、例えばスクリーンセーバ用ソフトウェア５１の起動を指示（命令）する。この場合、制御部２１は、指示されたスクリーンセーバ用ソフトウェア５１を起動し、スクリーンセーバ用ソフトウェア５１の表示データであるスクリーンセーバ用表示データを表示装置２に表示する。
【０１１０】
ＡＶ用ソフトウェア４０としてスクリーンセーバ用ソフトウェア５１が起動されているときに、ユーザが操作部（リモート端末６、ポインティングデバイス７）を操作してスクリーンセーバ用ソフトウェア５１の起動の終了を指示（命令）する。この場合、制御部２１は、指示されたスクリーンセーバ用ソフトウェア５１の起動の終了を実行する。
【０１１１】
ユーザが操作部（リモート端末６、ポインティングデバイス７）を操作して情報処理用ソフトウェア３０の起動の継続、起動の休止（休止状態、又はスリープともいう）、休止からの復帰、起動の終了、のいずれかを指示（命令）する。この場合、制御部２１は、指示された情報処理用ソフトウェア３０の起動の継続、起動の休止、休止からの復帰、起動の終了、のいずれかを実行する。
【０１１２】
図６は、本発明の情報処理装置における情報処理装置本体部１の制御装置１０内のデータベース１４を示す。データベース１４は、収納データベース６０、引出データベース８０を含んでいる。
【０１１３】
図７は、本発明の情報処理装置における情報処理装置本体部１の制御装置１０内の収納データベース６０を示す。収納データベース６０は、情報処理用ソフトウェア（ＳＦ）欄、ＡＶ用ソフトウェア（ＳＦ）欄、カウント値欄７２を含んでいる。
【０１１４】
情報処理用ＳＦ欄は、情報処理用ＳＦ継続情報欄６１、情報処理用ＳＦ休止情報欄６２、情報処理用ＳＦ終了情報欄６３を含んでいる。
【０１１５】
ＡＶ用ＳＦ欄は、ＴＶ用ＳＦ起動情報欄６４、ＤＶＤ用ＳＦ起動情報欄６５、音楽用ＳＦ起動情報欄６６、ＭＧ用ＳＦ起動情報欄６７を含んでいる。
【０１１６】
ＡＶ用ＳＦ欄は、更に、スクリーンセーバ用ＳＦ起動情報欄６８、スライドショー用ＳＦ起動情報欄６９、時計用ＳＦ起動情報欄７０、ユーザ指定用ＳＦ起動情報欄７１を含んでいる。
【０１１７】
設定部２２は、ユーザの操作部（リモート端末６、ポインティングデバイス７）の操作により、予めに、上記の欄６１〜７１のうちの１つの欄にフラグを制御情報として設定（格納）する。
【０１１８】
制御部２１が実行する収納処理について説明する。
【０１１９】
ユーザは、ＡＶ機器を利用するときに、ＡＶ操作に適した別の指示入力装置としてリモート端末６を使用するので、情報処理用ソフトウェア３０が起動されているときに、情報処理装置本体部１にキーボード３を収納する。情報処理装置本体部１にキーボード３が収納されたとき、検出部１１から収納検出信号が出力される。この場合、設定部２２は、収納検出信号に応じて、ＬＥＤ９を点灯させ、制御部２１は、収納データベース６０を参照する。
【０１２０】
収納データベース６０の情報処理用ＳＦ継続情報欄６１には、フラグとして情報処理用ＳＦ継続情報が格納されている。この場合、制御部２１は、格納された情報処理用ＳＦ継続情報に従って、情報処理用ソフトウェア３０の起動を継続する（何もしない）。
【０１２１】
収納データベース６０の情報処理用ＳＦ休止情報欄６２には、フラグとして情報処理用ＳＦ休止情報が格納されている。この場合、制御部２１は、格納された情報処理用ＳＦ休止情報に従って、情報処理用ソフトウェア３０の起動を休止する（スリープ状態にする）。
【０１２２】
収納データベース６０の情報処理用ＳＦ終了情報欄６３には、フラグとして情報処理用ＳＦ終了情報が格納されている。この場合、制御部２１は、格納された情報処理用ＳＦ終了情報に従って、情報処理用ソフトウェア３０の起動を終了する。
【０１２３】
収納データベース６０のＴＶ用ＳＦ起動情報欄６４には、フラグとしてＴＶ用ＳＦ起動情報が格納されている。この場合、制御部２１は、格納されたＴＶ用ＳＦ起動情報に従って、ＡＶ用ソフトウェア４０としてＴＶ用ソフトウェア４１を起動し、ＴＶ用表示データを表示装置２に表示する。
【０１２４】
収納データベース６０のＤＶＤ用ＳＦ起動情報欄６５には、フラグとしてＤＶＤ用ＳＦ起動情報が格納されている。この場合、制御部２１は、格納されたＤＶＤ用ＳＦ起動情報に従って、ＡＶ用ソフトウェア４０としてＤＶＤ用ソフトウェア４２を起動し、ＤＶＤ用表示データを表示装置２に表示する。
【０１２５】
収納データベース６０の音楽用ＳＦ起動情報欄６６には、フラグとして音楽用ＳＦ起動情報が格納されている。この場合、制御部２１は、格納された音楽用ＳＦ起動情報に従って、ＡＶ用ソフトウェア４０として音楽用ソフトウェア４３を起動し、音楽用表示データを表示装置２に表示する。
【０１２６】
収納データベース６０のＭＧ用ＳＦ起動情報欄６７には、フラグとしてＭＧ用ＳＦ起動情報が格納されている。この場合、制御部２１は、格納されたＭＧ用ＳＦ起動情報に従って、ＡＶ用ソフトウェア４０としてＭＧ用ソフトウェア４４を起動し、ＭＧ用表示データを表示装置２に表示する。
【０１２７】
収納データベース６０のＡＶ用ＳＦ欄のうち、例えばスクリーンセーバ用ＳＦ起動情報欄６８には、フラグとしてスクリーンセーバ用ＳＦ起動情報が格納されている。この場合、制御部２１は、格納されたスクリーンセーバ用ＳＦ起動情報に従って、ＡＶ用ソフトウェア４０としてスクリーンセーバ用ソフトウェア５１を起動し、スクリーンセーバ用表示データを表示装置２に表示する。
【０１２８】
ユーザは、情報処理用ソフトウェア３０を利用するときにキーボード３を使用する必要がある。一方、ユーザは、ＡＶ用ソフトウェア４０を利用するときにキーボード３に代替しリモート端末６のようなＡＶ操作に適した別の指示入力装置を使用する方が一般的である。あるいは、キーボード３の使用頻度は極めて少ない。ユーザがＡＶ用ソフトウェア４０を利用するときは、キーボード３が目立たないことが好ましい。そこで、本発明の情報処理装置では、ユーザが情報処理装置本体部１にキーボード３を収納したときに、収納データベース６０のＴＶ用ＳＦ起動情報欄６４にフラグ（ＴＶ用ＳＦ起動情報）が格納されている場合、ＡＶ用ソフトウェア４０としてＴＶ用ソフトウェア４１を起動する。このように、本発明の情報処理装置によれば、ユーザの利用形態に応じることができる。
【０１２９】
図８は、本発明の情報処理装置における情報処理装置本体部１の制御装置１０内の引出データベース８０を示す。引出データベース８０は、情報処理用ソフトウェア（ＳＦ）欄を含んでいる。
【０１３０】
情報処理用ＳＦ欄は、情報処理用ＳＦ継続情報欄８１、情報処理用ＳＦ起動・復帰情報欄８２を含んでいる。
【０１３１】
設定部２２は、ユーザの操作部（リモート端末６、ポインティングデバイス７）の操作により、予めに、上記の欄８１、８２のうちの１つの欄にフラグを制御情報として設定（格納）する。
【０１３２】
制御部２１が実行する引出処理について説明する。
【０１３３】
情報処理用ソフトウェア３０が起動されているときに、検出部１１から引出検出信号が出力された場合、制御部２１は、引出データベース８０を参照する。引出データベース８０の情報処理用ＳＦ継続情報欄８１には、フラグとして情報処理用ＳＦ継続情報が格納されている。この場合、制御部２１は、格納された情報処理用ＳＦ継続情報に従って、情報処理用ソフトウェア３０の起動を継続する（何もしない）。
【０１３４】
情報処理用ソフトウェア３０が起動していないときに、検出部１１から引出検出信号が出力された場合、制御部２１は、引出データベース８０を参照する。引出データベース８０の情報処理用ＳＦ起動・復帰情報欄８２にはフラグとして情報処理用ＳＦ起動・復帰情報が格納されている。この場合、制御部２１は、格納された情報処理用ＳＦ起動・復帰情報に従って、情報処理用ソフトウェア３０を起動し、情報処理用表示データを表示装置２に表示する。
【０１３５】
情報処理用ソフトウェア３０の起動が休止している（スリープ状態である）ときに、検出部１１から引出検出信号が出力された場合、制御部２１は、引出データベース８０を参照する。引出データベース８０の情報処理用ＳＦ起動・復帰情報欄８２にはフラグとして情報処理用ＳＦ起動・復帰情報が格納されている。この場合、制御部２１は、格納された情報処理用ＳＦ起動・復帰情報に従って、情報処理用ソフトウェア３０の起動の復帰を実行する。
【０１３６】
本発明の情報処理装置では、情報処理装置本体部１にキーボード３を収納可能であるため、ユーザは、例えば、情報処理用ソフトウェア３０を利用したいときに、ノート型ＰＣと同じような考え方をする場合が想定される。引出データベース８０の情報処理用ＳＦ起動・復帰情報欄８２にフラグ（情報処理用ＳＦ起動・復帰情報）が格納されている場合、ユーザは、情報処理装置本体部１からキーボード３を引出せばよい。
【０１３７】
ユーザは、操作部（リモート端末６、ポインティングデバイス７）を操作して、収納データベース６０のＴＶ用ＳＦ起動情報欄６４にフラグ（ＴＶ用ＳＦ起動情報）を設定しておけば、上述の収納処理において、ユーザが情報処理装置本体部１にキーボード３を収納したときに、制御部２１は自動的にＴＶ用ソフトウェア４１を起動し、ユーザはＴＶを利用することができる。しかし、ユーザは、情報処理装置本体部１にキーボード３を収納したときに、ＤＶＤを利用したい場合がある。このような場合を考慮して、ユーザが情報処理装置本体部１にキーボード３を収納したときに、検出部１１が収納検出情報を出力してから、制御部２１がＴＶ用ソフトウェア４１を起動するまでの時間的猶予を与えることが好ましい。時間的猶予として所定時間内に、ユーザが操作部（リモート端末６、ポインティングデバイス７）を操作して、収納データベース６０のＤＶＤ用ＳＦ起動情報欄６５にフラグ（ＤＶＤ用ＳＦ起動情報）を設定した場合、制御部２１はＤＶＤ用ソフトウェア４２を起動する。設定部２２は、収納処理において、ユーザに時間的猶予を与え、ユーザが使用したいソフトウェアの設定を促す。
【０１３８】
設定部２２が実行する収納処理について説明する。設定部２２が収納処理（第１収納処理）を実行した後、制御部２１が収納処理（第２収納処理）を実行する。
【０１３９】
情報処理用ソフトウェア３０が起動されているときに、検出部１１から収納検出信号が出力された場合、設定部２２は、ＬＥＤ９を点灯させる。このとき、設定部２２は、収納データベース６０を参照する。収納データベース６０のカウント値欄には、カウント値として“３”が格納されている。この場合、設定部２２は、時間的猶予として所定時間が３秒であると認識する。設定部２２は、検出部１１が収納検出信号を出力してから所定時間（３秒）が経過するまで、後述のカウントダウン画面を表示装置２に表示する。
【０１４０】
図９は、本発明の情報処理装置における情報処理装置本体部１の制御装置１０内の設定部２２が表示装置２に表示するカウントダウン画面９０を示す。カウントダウン画面９０は、即実行ボタン９１、キャンセルボタン９２、設定ボタン（設定画面呼出ボタン）９３、カウントダウン欄９４を含んでいる。設定部２２は、カウント値である“３”からカウントダウンし、カウントダウン欄９４には、カウントダウンの結果（“３”、“２”、“１”のいずれか）が表示される。
【０１４１】
収納データベース６０のＴＶ用ＳＦ起動情報欄６４にフラグ（ＴＶ用ＳＦ起動情報）が設定（格納）されている。また、表示装置２にカウントダウン画面９０が表示されている間、ユーザが操作部（リモート端末６、ポインティングデバイス７）を操作しない。この場合、設定部２２がカウントダウンした結果が“０”であり、即ち、検出部１１が収納検出信号を出力してから所定時間（３秒）が経過したことを表す。設定部２２は、カウントダウン画面９０の表示を終了し、設定部２２が実行する収納処理（第１収納処理）を終了する。このとき、制御部２１は、収納処理（第２収納処理）を実行する。即ち、制御部２１は、格納されたＴＶ用ＳＦ起動情報に従って、ＴＶ用ソフトウェア４１を起動し、ＴＶ用表示データを表示装置２に表示する。
【０１４２】
収納データベース６０のＴＶ用ＳＦ起動情報欄６４にフラグ（ＴＶ用ＳＦ起動情報）が設定（格納）されている。また、ユーザは、情報処理装置本体部１にキーボード３を収納したときに、ＴＶをすぐに利用したい場合、表示装置２にカウントダウン画面９０が表示されているときに、操作部（リモート端末６、ポインティングデバイス７）を操作して、カウントダウン画面９０の即実行ボタン９１を押下する。この場合、設定部２２は、カウントダウン画面９０の表示を終了し、設定部２２が実行する収納処理（第１収納処理）を終了する。このとき、制御部２１は、収納処理（第２収納処理）を実行する。即ち、制御部２１は、格納されたＴＶ用ＳＦ起動情報に従って、ＴＶ用ソフトウェア４１を起動し、ＴＶ用表示データを表示装置２に表示する。
【０１４３】
収納データベース６０のＴＶ用ＳＦ起動情報欄６４にフラグ（ＴＶ用ＳＦ起動情報）が設定（格納）されている。また、ユーザは、情報処理装置本体部１にキーボード３を収納したときに、ＴＶを利用しない場合、表示装置２にカウントダウン画面９０が表示されているときに、操作部（リモート端末６、ポインティングデバイス７）を操作して、カウントダウン画面９０のキャンセルボタン９２を押下する。この場合、設定部２２は、カウントダウン画面９０の表示を終了し、設定部２２が実行する収納処理（第１収納処理）を終了する。また、制御部２１は、収納処理（第２収納処理）を実行しない。
【０１４４】
収納データベース６０のＴＶ用ＳＦ起動情報欄６４にフラグ（ＴＶ用ＳＦ起動情報）が設定（格納）されている。また、ユーザは、情報処理装置本体部１にキーボード３を収納したときに、ＴＶではなくＤＶＤを利用したい場合、表示装置２にカウントダウン画面９０が表示されているときに、操作部（リモート端末６、ポインティングデバイス７）を操作して、カウントダウン画面９０の設定ボタン９３を押下する。この場合、設定部２２は、カウントダウン画面９０の表示を終了し、後述の設定画面を表示装置２に表示する。
【０１４５】
ユーザは、例えば、情報処理用ソフトウェア３０の利用を終了したいときに、ノート型ＰＣと同じような考え方として、情報処理装置本体部１にキーボード３を収納する場合が考えられる。また、ユーザは、意図せずに、情報処理装置本体部１にキーボード３を収納してしまう場合が考えられる。このような場合、ＡＶ用ソフトウェア４０として例えばＴＶ用ソフトウェア４１が起動してしまっては、ユーザは戸惑ってしまう。そこで、本発明の情報処理装置では、検出部１１が収納検出信号を出力してから所定時間が経過するまでに、即ち、カウントダウン画面９０が表示されている間、操作部（リモート端末６、ポインティングデバイス７）が操作されないとき、ＴＶ用ソフトウェア４１を起動する。このように、本発明の情報処理装置によれば、ユーザが戸惑うことなく利用することができる。
【０１４６】
ユーザは、情報処理装置本体部１にキーボード３を収納して、利用形態を変更したい場合、所定時間内に操作部（リモート端末６、ポインティングデバイス７）を操作すればよい。このような場合、ユーザが所定時間を把握していなくては、ユーザのニーズに対応することができない。そこで、本発明の情報処理装置では、まず、検出部１１が収納検出信号を出力してから所定時間が経過するまで、カウントダウン画面９０を表示装置２に表示する。次に、ユーザが操作部（リモート端末６、ポインティングデバイス７）によりカウントダウン画面９０の設定ボタン９３を操作し、後述の設定画面によりユーザがＤＶＤ用ソフトウェア４２を選択した場合、本発明の情報処理装置は、ＤＶＤ用ソフトウェア４２を起動する。このように、本発明の情報処理装置によれば、ユーザのニーズに対応することができる。
【０１４７】
図１０は、本発明の情報処理装置における情報処理装置本体部１の制御装置１０内の設定部２２が表示装置２に表示する設定画面１００を示す。設定画面１００は、収納時動作設定画面１０１、時間設定画面１０２、引出時動作設定画面１０３、ＯＫボタン１０４、キャンセルボタン１０５を含んでいる。
【０１４８】
収納時動作設定画面１０１は、複数のソフトウェアのうちの選択ソフトウェアをユーザが選択するための選択画面である。収納時動作設定画面１０１は、情報処理用ＳＦ継続情報欄１６１、情報処理用ＳＦ休止情報欄１６２、情報処理用ＳＦ終了情報欄１６３、ＴＶ用ＳＦ起動情報欄１６４、ＤＶＤ用ＳＦ起動情報欄１６５、音楽用ＳＦ起動情報欄１６６、ＭＧ用ＳＦ起動情報欄１６７、スクリーンセーバ用ＳＦ起動情報欄１６８、スライドショー用ＳＦ起動情報欄１６９、時計用ＳＦ起動情報欄１７０、ユーザ指定用ＳＦ起動情報欄１７１を含んでいる。欄１６１〜１７１は、それぞれ、収納データベース６０の欄６１〜７１に対応している。収納データベース６０のＴＶ用ＳＦ起動情報欄６４にフラグ（ＴＶ用ＳＦ起動情報）が設定（格納）されている場合、欄１６１〜１７１のうち、ＴＶ用ＳＦ起動情報欄１６４にのみに印（図１０に記載された収納時動作設定画面１０１中の黒丸）が表示される。
【０１４９】
収納データベース６０のＴＶ用ＳＦ起動情報欄６４にフラグ（ＴＶ用ＳＦ起動情報）が設定（格納）されている。また、表示装置２に設定画面１００が表示されているときに、ユーザは、ＴＶを利用したい場合、操作部（リモート端末６、ポインティングデバイス７）を操作して、設定画面１００のＯＫボタン１０４、又は、キャンセルボタン１０５を押下する。このとき、設定部２２は、設定画面１００の表示を終了し、設定部２２が実行する収納処理（第１収納処理）を終了する。制御部２１は、収納処理（第２収納処理）を実行する。即ち、制御部２１は、格納されたＴＶ用ＳＦ起動情報に従って、ＴＶ用ソフトウェア４１を起動し、ＴＶ用表示データを表示装置２に表示する。
【０１５０】
収納データベース６０のＴＶ用ＳＦ起動情報欄６４にフラグ（ＴＶ用ＳＦ起動情報）が設定（格納）されている。また、ユーザは、ＴＶではなくＤＶＤを利用したい場合、表示装置２に設定画面１００が表示されているときに、操作部（リモート端末６、ポインティングデバイス７）を操作して、ＤＶＤ用ＳＦ起動情報欄１６５を指示（指定）する。このとき、欄１６１〜１７１のうち、ＤＶＤ用ＳＦ起動情報欄１６５にのみに印が表示される。この場合、設定部２２は、ＤＶＤ用ＳＦ起動情報欄１６５の指定に応じて、収納データベース６０のＴＶ用ＳＦ起動情報欄６４に格納されたフラグ（ＴＶ用ＳＦ起動情報）を消去して、収納データベース６０のＤＶＤ用ＳＦ起動情報欄６５にフラグ（ＤＶＤ用ＳＦ起動情報）を格納する。
【０１５１】
次に、ユーザは、操作部（リモート端末６、ポインティングデバイス７）を操作して、設定画面１００のＯＫボタン１０４を押下する。このとき、設定部２２は、設定画面１００の表示を終了し、設定部２２が実行する収納処理（第１収納処理）を終了する。制御部２１は、収納処理（第２収納処理）を実行する。即ち、制御部２１は、格納されたＤＶＤ用ＳＦ起動情報に従って、ＤＶＤ用ソフトウェア４２を起動し、ＤＶＤ用表示データを表示装置２に表示する。
【０１５２】
ユーザは、情報処理装置本体部１にキーボード３を収納したときに、利用形態の変更として、ＡＶ用ソフトウェア４０として例えばＤＶＤ用ソフトウェア４２を利用したい場合が考えられる。このような場合、情報処理装置本体部１にキーボード３を収納する度に、ＴＶ用ソフトウェア４１が起動してしまっては、ユーザのニーズに対応することができない。そこで、本発明の情報処理装置では、所定時間内に操作部（リモート端末６、ポインティングデバイス７）が操作されたとき、収納時動作設定画面１０１を含む設定画面１００を表示装置２に表示し、収納時動作設定画面１０１によりユーザがＤＶＤ用ソフトウェア４２を選択した場合、ＤＶＤ用ソフトウェア４２を起動する。このように、本発明の情報処理装置によれば、ユーザのニーズに対応することができる。
【０１５３】
時間設定画面１０２は、カウント値欄１７２と、カウント値を設定するための時間調整ボタン１０６、１０７とを含んでいる。カウント値欄１７２は、収納データベース６０のカウント値欄７２に対応している。収納データベース６０のカウント値欄７２にカウント値“３”が設定（格納）されている場合、カウント値欄１７２にはカウント値“３”が表示される。
【０１５４】
ユーザは、時間的猶予（所定時間）を変更したい場合、表示装置２に設定画面１００が表示されているときに、操作部（リモート端末６、ポインティングデバイス７）を操作する。このときに、ユーザは、カウント値欄１７２に表示されているカウント値“３”をそれよりも大きくしたい場合、操作部（リモート端末６、ポインティングデバイス７）を操作して時間調整ボタン１０６を押下し、カウント値欄１７２に表示されているカウント値“３”をそれよりも小さくしたい場合、操作部（リモート端末６、ポインティングデバイス７）を操作して時間調整ボタン１０７を押下する。例えば、ユーザは、操作部（リモート端末６、ポインティングデバイス７）を操作して、カウント値欄１７２にカウント値“５”を指示（指定）する。このとき、カウント値欄１７２にはカウント値“５”が表示されている。この場合、設定部２２は、カウント値“５”の指定に応じて、収納データベース６０のカウント値欄７２に格納されたカウント値“３”を消去して、カウント値“５”を格納する。
【０１５５】
次に、ユーザは、操作部（リモート端末６、ポインティングデバイス７）を操作して、設定画面１００のＯＫボタン１０４を押下する。このとき、設定部２２は、設定画面１００の表示を終了し、設定部２２が実行する収納処理（第１収納処理）を終了する。制御部２１は、収納処理（第２収納処理）を実行する。
【０１５６】
ユーザは、情報処理装置本体部１にキーボード３を収納して、利用形態を変更したいとき、そのユーザにとって所定時間（カウント値）が短く感じる場合がある。あるいは、長く感じる場合がある。このような場合、ユーザが所定時間（カウント値）を自由に変更できなくては、ユーザのニーズに対応することができない。そこで、ユーザは、所定時間（カウント値）を短く感じる場合、カウント値“３”をカウント値“５”に変更すればよい。これにより、ユーザが情報処理装置本体部１からキーボード３を引出し、再度、情報処理装置本体部１にキーボード３を収納したときに、設定部２２は、収納データベース６０のカウント値欄７２に格納されたカウント値“５”に従って、所定時間として５秒間、カウントダウン画面９０を表示装置２に表示する。このように、本発明の情報処理装置によれば、ユーザのニーズに対応することができる。
【０１５７】
引出時動作設定画面１０３は、情報処理用ＳＦ継続情報欄１８１、情報処理用ＳＦ起動・復帰情報欄１８２を含んでいる。欄１８１、１８２は、それぞれ、引出データベース８０の欄８１、８２に対応している。引出データベース８０の情報処理用ＳＦ継続情報欄８１にフラグ（情報処理用ＳＦ継続情報）が設定（格納）されている場合、欄１８１、１８２のうち、情報処理用ＳＦ継続情報欄１８１にのみに印（図１０に記載された引出時動作設定画面１０３中の黒丸）が表示される。
【０１５８】
引出データベース８０の情報処理用ＳＦ継続情報欄８１にフラグ（情報処理用ＳＦ継続情報）が設定（格納）されている。また、ユーザは、情報処理装置本体部１からキーボード３を引出したときに自動的にＰＣを起動させたい場合、表示装置２に設定画面１００が表示されているときに、操作部（リモート端末６、ポインティングデバイス７）を操作して、情報処理用ＳＦ起動・復帰情報欄１８２を指示（指定）する。このとき、欄１８１、１８２のうち、情報処理用ＳＦ起動・復帰情報欄１８２にのみに印が表示される。この場合、設定部２２は、情報処理用ＳＦ起動・復帰情報欄１８２の指定に応じて、引出データベース８０の情報処理用ＳＦ継続情報欄８１に格納されたフラグ（情報処理用ＳＦ継続情報）を消去して、引出データベース８０の情報処理用ＳＦ起動・復帰情報欄８２にフラグ（情報処理用ＳＦ起動・復帰情報）を格納する。
【０１５９】
次に、ユーザは、操作部（リモート端末６、ポインティングデバイス７）を操作して、設定画面１００のＯＫボタン１０４を押下する。このとき、設定部２２は、設定画面１００の表示を終了し、設定部２２が実行する収納処理（第１収納処理）を終了する。制御部２１は、収納処理（第２収納処理）を実行する。
【０１６０】
引出データベース８０に格納されたフラグが変更されたことにより、情報処理用ソフトウェア３０が起動されてないときに、ユーザが情報処理装置本体部１からキーボード３を引出した場合、制御部２１は、引出データベース８０の情報処理用ＳＦ起動・復帰情報欄８２に格納されたフラグ（情報処理用ＳＦ起動・復帰情報）に従って、情報処理用ソフトウェア３０を起動し、情報処理用表示データを表示装置２に表示する。
【０１６１】
次に、本発明の情報処理装置の動作について説明する。
【０１６２】
図１１は、本発明の情報処理装置の動作である収納処理を示すフローチャートである。設定部２２が実行する収納処理（第１収納処理）は、後述のステップＳ１〜Ｓ５であり、制御部２１が実行する収納処理（第２収納処理）は、後述のステップＳ６である。
【０１６３】
ここで、収納データベース６０のＴＶ用ＳＦ起動情報欄６４には、フラグ（ＴＶ用ＳＦ起動情報）が格納されている。また、収納データベース６０のカウント値欄７２には、カウント値“３”が格納されている。また、引出データベース８０の情報処理用ＳＦ継続情報欄８１にフラグ（情報処理用ＳＦ継続情報）が格納されている。また、情報処理用ソフトウェア３０が起動されている。
【０１６４】
ユーザは、ＡＶ機器を利用するときに、ＡＶ操作に適した別の指示入力装置としてリモート端末６を使用するので、情報処理装置本体部１にキーボード３を収納する。情報処理装置本体部１にキーボード３が収納されたとき、検出部１１は、収納検出信号を出力する（ステップＳ１−ＹＥＳ）。このとき、設定部２２は、収納検出信号に応じて、ＬＥＤ９を点灯させる。
【０１６５】
次に、設定部２２は、収納データベース６０を参照してカウントダウン画面９０を生成し、所定時間として３秒間、そのカウントダウン画面９０を表示装置２に表示する（ステップＳ２）。
【０１６６】
表示装置２にカウントダウン画面９０が表示されている間、ユーザが操作部（リモート端末６、ポインティングデバイス７）を操作しない（ステップＳ３−ＮＯ）。設定部２２は、カウントダウン画面９０の表示を終了する。このとき、制御部２１は、収納データベース６０に格納されたＴＶ用ＳＦ起動情報に従って、ＴＶ用ソフトウェア４１を起動し、ＴＶ用表示データを表示装置２に表示する（ステップＳ６）。この場合でも、ユーザは、上記の通常処理によりＤＶＤを利用することができる。
【０１６７】
ユーザは、表示装置２にカウントダウン画面９０が表示されているときに、操作部（リモート端末６、ポインティングデバイス７）を操作して、カウントダウン画面９０の設定ボタン９３を押下する（ステップＳ３−ＹＥＳ）。この場合、設定部２２は、カウントダウン画面９０の表示を終了し、収納データベース６０と引出データベース８０とを参照して設定画面１００を生成し、その設定画面１００を表示装置２に表示する（ステップＳ４）。
【０１６８】
設定部２２は、表示装置２に設定画面１００が表示されているときに、設定処理を行う（ステップＳ５）。
【０１６９】
設定処理（ステップＳ５）において、ユーザは、操作部（リモート端末６、ポインティングデバイス７）を操作して、ＤＶＤ用ＳＦ起動情報欄１６５を指示（指定）する。このとき、設定部２２は、ＤＶＤ用ＳＦ起動情報欄１６５の指定に応じて、収納データベース６０のＴＶ用ＳＦ起動情報欄６４に格納されたフラグ（ＴＶ用ＳＦ起動情報）を消去して、収納データベース６０のＤＶＤ用ＳＦ起動情報欄６５にフラグ（ＤＶＤ用ＳＦ起動情報）を格納する。
【０１７０】
また、設定処理（ステップＳ５）において、ユーザは、情報処理装置本体部１からキーボード３を引出したときに自動的にＰＣを起動させたい場合、操作部（リモート端末６、ポインティングデバイス７）を操作して、情報処理用ＳＦ起動・復帰情報欄１８２を指示（指定）する。このとき、設定部２２は、情報処理用ＳＦ起動・復帰情報欄１８２の指定に応じて、引出データベース８０の情報処理用ＳＦ継続情報欄８１に格納されたフラグ（情報処理用ＳＦ継続情報）を消去して、引出データベース８０の情報処理用ＳＦ起動・復帰情報欄８２にフラグ（情報処理用ＳＦ起動・復帰情報）を格納する。
【０１７１】
次に、設定処理（ステップＳ５）において、ユーザは、操作部（リモート端末６、ポインティングデバイス７）を操作して、設定画面１００のＯＫボタン１０４を押下する。このとき、制御部２１は、収納データベース６０に格納されたＤＶＤ用ＳＦ起動情報に従って、ＤＶＤ用ソフトウェア４２を起動し、ＤＶＤ用表示データを表示装置２に表示する（ステップＳ６）。
【０１７２】
本発明の情報処理装置では、収納処理（Ｓ１〜Ｓ６）において、ユーザは、情報処理装置本体部１にキーボード３を収納することにより、ＴＶ用ソフトウェア４１、又は、ＤＶＤ用ソフトウェア４２を利用することができる。
【０１７３】
図１２は、本発明の情報処理装置の動作である引出処理を示すフローチャートである。
【０１７４】
ここで、収納データベース６０のＤＶＤ用ＳＦ起動情報欄６５には、フラグ（ＤＶＤ用ＳＦ起動情報）が格納されている。また、収納データベース６０のカウント値欄７２には、カウント値“３”が格納されている。また、引出データベース８０の情報処理用ＳＦ起動・復帰情報欄８２にフラグ（情報処理用ＳＦ起動・復帰情報）が格納されている。また、情報処理用ソフトウェア３０が起動されていない。
【０１７５】
ユーザは、情報処理を行なうときにキーボード３を使用するので、情報処理装置本体部１からキーボード３を引出す。情報処理装置本体部１からキーボード３が引出されたとき、検出部１１は、引出検出信号を出力する（ステップＳ１１−ＹＥＳ）。
【０１７６】
制御部２１は、引出検出信号に応じて、引出データベース８０を参照する。制御部２１は、引出データベース８０の情報処理用ＳＦ起動・復帰情報欄８２に格納された情報処理用ＳＦ起動・復帰情報に従って、情報処理用ソフトウェア３０を起動し、情報処理用表示データを表示装置２に表示する（ステップＳ１２）。
【０１７７】
本発明の情報処理装置では、収納処理（Ｓ３）、引出処理（Ｓ１１、Ｓ１２）において、ユーザは、情報処理装置本体部１からキーボード３を引出すことにより、情報処理用ソフトウェア３０を利用することができる。
【０１７８】
また、情報処理用ソフトウェア３０が起動しているときに、ユーザは、意図せずに、情報処理装置本体部１にキーボード３を収納してしまう場合が考えられる。この場合、ユーザは、所定時間内に情報処理装置本体部１からキーボード３を引き出すことにより、情報処理用ソフトウェア３０の起動を継続することができる。
【０１７９】
上記のステップＳ１にて、検出部１１が収納検出信号を出力し、上記のステップＳ２にて、設定部２２が収納検出信号に応じてカウントダウン画面９０を表示装置２に表示しているとき、ユーザは、所定時間内に情報処理装置本体部１からキーボード３を引き出す。このとき、上記のステップＳ１１にて、検出部１１が引出検出信号を出力し、制御部２１は、引出処理を開始し、設定部２２は収納処理を終了する。ステップＳ１２にて、制御部２１は、引出検出信号に応じて、情報処理用ソフトウェア３０の起動を継続する。
【０１８０】
なお、本発明の情報処理装置では、検出部１１が収納検出信号を出力してから所定時間が経過するまで、カウントダウン画面９０を表示装置２に表示し、ユーザが操作部（リモート端末６、ポインティングデバイス７）を操作したとき、設定画面１００を表示装置２に表示しているが、これに限定されない。本発明の情報処理装置では、カウントダウン画面９０と設定画面１００とを同時に表示装置２に表示してもよい。
【０１８１】
この場合、本発明の情報処理装置では、上記のステップＳ４を実行しない。まず、ステップＳ２にて、設定部２２は、収納データベース６０を参照してカウントダウン画面９０を生成し、収納データベース６０と引出データベース８０とを参照して設定画面１００を生成し、所定時間として３秒間、そのカウントダウン画面９０を表示装置２に表示すると共に、設定画面１００を表示装置２に表示する（ステップＳ２’とする）。
【０１８２】
表示装置２にカウントダウン画面９０と設定画面１００とが表示されている間、ユーザが操作部（リモート端末６、ポインティングデバイス７）を操作しない（ステップＳ３−ＮＯ）。この場合、設定部２２は、カウントダウン画面９０の表示を終了すると共に、設定画面１００の表示を終了する。このとき、制御部２１は、収納データベース６０に格納されたＴＶ用ＳＦ起動情報に従って、ＴＶ用ソフトウェア４１を起動し、ＴＶ用表示データを表示装置２に表示する（ステップＳ６）。この場合でも、ユーザは、上記の通常処理によりＤＶＤを利用することができる。
【０１８３】
ユーザは、表示装置２に設定画面１００が表示されているときに、操作部（リモート端末６、ポインティングデバイス７）を操作する（ステップＳ３−ＹＥＳ）。この場合、設定部２２は、表示装置２に設定画面１００が表示されているときに、上記の設定処理を行う（ステップＳ５）。設定処理（ステップＳ５）において、ユーザは、操作部（リモート端末６、ポインティングデバイス７）を操作して、設定画面１００のＯＫボタン１０４を押下する。このとき、制御部２１は、収納データベース６０に格納されたＤＶＤ用ＳＦ起動情報に従って、ＤＶＤ用ソフトウェア４２を起動し、ＤＶＤ用表示データを表示装置２に表示する（ステップＳ６）。
【０１８４】
ユーザは、情報処理装置本体部１にキーボード３を収納して、利用形態を変更したい場合、設定画面１００が表示装置２に表示されているときに所定時間内に操作部（リモート端末６、ポインティングデバイス７）を操作すればよい。このような場合、ユーザが所定時間を把握していなくては、ユーザのニーズに対応することができない。そこで、本発明の情報処理装置では、まず、検出部１１が収納検出信号を出力してから所定時間が経過するまで、カウントダウン画面９０と設定画面１００とを表示装置２に表示する。次に、設定画面１００が表示装置２に表示されているときに所定時間内にユーザが操作部（リモート端末６、ポインティングデバイス７）にを操作し、設定画面１００の選択画面１０１によりユーザがＤＶＤ用ソフトウェア４２を選択した場合、本発明の情報処理装置は、ＤＶＤ用ソフトウェア４２を起動する。このように、本発明の情報処理装置によれば、ユーザのニーズに対応することができる。
【０１８５】
ここで、本発明の情報処理装置と、特許文献１〜５に記載された情報処理装置との違いを述べる。
【０１８６】
本発明の情報処理装置では、ユーザの利用形態に応じることができる。これは、ユーザがＡＶ用ソフトウェア４０を利用するときにキーボード３を情報処理装置本体部１に収納する。このときに、本発明の情報処理装置は、上記の通常処理に代えて、上記の収納処理を実行する。本発明の情報処理装置は、収納処理において、収納データベース６０にＡＶ用ＳＦ起動情報（ＴＶ用ＳＦ起動情報、ＤＶＤ用ＳＦ起動情報、音楽用ＳＦ起動情報、ＭＧ用ＳＦ起動情報のいずれか）が格納されている場合、ＡＶ用ソフトウェア４０のうちの１つのＡＶ用ソフトウェア｛ＤＶＤ用ソフトウェア４２、音楽用ソフトウェア４３、ＡＶコンテンツ視聴・閲覧用ソフトウェア４４（ＭＧ用ソフトウェア）、…｝を起動する。このように、本発明の情報処理装置によれば、ユーザの利用形態に応じることができ、ユーザが情報処理装置本体部１にキーボード３を収納することは、収納処理の実行命令に対応する。
【０１８７】
一方、特許文献１、２に記載された情報処理装置では、キーボードを収納することが目的である。即ち、特許文献１、２に記載された情報処理装置では、キーボードを収納することに留まっており、上記の実行命令が行われない。このため、特許文献１、２に記載された情報処理装置では、キーボードを収納したときにＡＶ機器を利用することができず、目的も思想も異なる。
【０１８８】
ノート型ＰＣは閉じられた場合、キーボードと表示装置は隠され、これに応じて電源がシャットダウンしたり、あるいは、省電力モードに移行することは良く知られている。特許文献３に記載された情報処理装置では、表示装置を隠すことなくキーボードを収納するようにしているが、キーボードを収納することにより電源のオン／オフを制御することが目的である。即ち、特許文献３に記載された情報処理装置では、ノート型ＰＣと同じような考え方として、キーボードを収納する。このため、特許文献３に記載された情報処理装置では、キーボードを収納したときにＡＶ機器を利用することができず、目的も思想も異なる。
【０１８９】
特許文献４に記載された情報処理装置は、省スペース型ＰＣであり、閉じられたときにキーボードが表示装置の一部を隠す形状である。従って、特許文献４に記載された情報処理装置は、閉じられたときに、表示装置の隠されていない部分を有効に利用することが目的である。特許文献４に記載された情報処理装置は、閉じられたときに、表示装置の隠されていない部分に特定のアプリケーションを表示するようにしているが、本発明における収納処理としてのＡＶ機器の利用に不向きである。このため、特許文献４に記載された情報処理装置では、キーボードを収納したときにＡＶ機器を利用することができず、目的も思想も異なる。
【０１９０】
特許文献５に記載された情報処理装置は、閉じることによってキーボードと表示装置とを隠すことができる。また、特許文献５に記載された情報処理装置は、表示装置を隠すことなくキーボードを収納し、収納を感知して、マウス入力又はペン入力の可能なソフトキーを表示装置に自動的に表示する。従って、特許文献５に記載された情報処理装置では、キーボードを収納したときに、作業を継続することを目的としている。即ち、特許文献５に記載された情報処理装置は、作業上不要なキーボードを収納し、入力ツールとしてマウス入力又はペン入力に代替させる。このため、特許文献５に記載された情報処理装置では、キーボードを収納したときにＡＶ機器を利用することができず、目的も思想も異なる。
【図面の簡単な説明】
【０１９１】
【図１】図１は、本発明の情報処理装置の構成を示すブロック図である。
【図２】図２は、本発明の情報処理装置の正面図である。
【図３】図３は、本発明の情報処理装置の情報処理装置本体部の構成を示すブロック図である。
【図４】図４は、本発明の情報処理装置における情報処理装置本体部の制御装置の構成を示すブロック図である。
【図５】図５は、本発明の情報処理装置における情報処理装置本体部の制御装置内のソフトウェアを示す。
【図６】図６は、本発明の情報処理装置における情報処理装置本体部の制御装置内のデータベースを示す。
【図７】図７は、本発明の情報処理装置における情報処理装置本体部の制御装置内の収納データベースを示す。
【図８】図８は、本発明の情報処理装置における情報処理装置本体部の制御装置内の引出データベースを示す。
【図９】図９は、本発明の情報処理装置における情報処理装置本体部の制御装置内の設定部が表示装置に表示するカウントダウン画面を示す。
【図１０】図１０は、本発明の情報処理装置における情報処理装置本体部の制御装置内の設定部が表示装置に表示する設定画面を示す。
【図１１】図１１は、本発明の情報処理装置の動作である収納処理を示すフローチャートである。
【図１２】図１２は、本発明の情報処理装置の動作である引出処理を示すフローチャートである。
【符号の説明】
【０１９２】
１    情報処理装置本体部
２    表示装置
３    キーボード
４    アンテナ
５    スピーカ
６    リモート端末
７    ポインティングデバイス
８    ＤＶＤドライブ
９    ＬＥＤ
１０    制御装置
１１    検出部
１２    ＣＰＵ
１３    記憶装置
１４    データベース
１５    受信機
１６    チューナ
１７    デコーダ
１８    送信機
１９    接続制御部
２０    コンピュータプログラム
２１    制御部（制御プログラム）
２２    設定部（設定プログラム）
２３    ソフトウェア（プログラム）
３０    情報処理用ソフトウェア
４０    ＡＶ用ソフトウェア
４１    ＴＶ用ソフトウェア
４２    ＤＶＤ用ソフトウェア
４３    音楽用ソフトウェア
４４    ＡＶコンテンツ視聴・閲覧用ソフトウェア（コンテンツ用ソフトウェア）
５１    スクリーンセーバ用ソフトウェア
５２    スライドショー用ソフトウェア
５３    時計用ソフトウェア
５４    ユーザ指定用ソフトウェア
６０    収納用データベース
６１    情報処理用ＳＦ継続情報欄
６２    情報処理用ＳＦ休止情報欄
６３    情報処理用ＳＦ終了情報欄
６４    ＴＶ用ＳＦ起動情報欄
６５    ＤＶＤ用ＳＦ起動情報欄
６６    音楽用ＳＦ起動情報欄
６７    ＭＧ用ＳＦ起動情報欄
６８    スクリーンセーバ用ＳＦ起動情報欄
６９    スライドショー用ＳＦ起動情報欄
７０    時計用ＳＦ起動情報欄
７１    ユーザ指定用ＳＦ起動情報欄
７２    カウント値欄
８０    引出用データベース
８１    情報処理用ＳＦ継続情報欄
８２    情報処理用ＳＦ起動・復帰情報欄
９０    カウントダウン画面
９１    即実行ボタン
９２    キャンセルボタン
９３    設定ボタン（設定画面呼出ボタン）
９４    カウントダウン欄
１００    設定画面
１０１    収納時動作設定画面（選択画面）
１０２    時間設定画面
１０３    引出時動作設定画面
１０４    ＯＫボタン
１０５    キャンセルボタン
１０６、１０７    時間調整ボタン
１６１    情報処理用ＳＦ継続情報欄
１６２    情報処理用ＳＦ休止情報欄
１６３    情報処理用ＳＦ終了情報欄
１６４    ＴＶ用ＳＦ起動情報欄
１６５    ＤＶＤ用ＳＦ起動情報欄
１６６    音楽用ＳＦ起動情報欄
１６７    ＭＧ用ＳＦ起動情報欄
１６８    スクリーンセーバ用ＳＦ起動情報欄
１６９    スライドショー用ＳＦ起動情報欄
１７０    時計用ＳＦ起動情報欄
１７１    ユーザ指定用ＳＦ起動情報欄
１７２    カウント値欄
１８１    情報処理用ＳＦ継続情報欄
１８２    情報処理用ＳＦ起動・復帰情報欄
【図１】
2008204465.tif 000003
【図２】
2008204465.tif 000004
【図３】
2008204465.tif 000005
【図４】
2008204465.tif 000006
【図５】
2008204465.tif 000007
【図６】
2008204465.tif 000008
【図７】
2008204465.tif 000009
【図８】
2008204465.tif 000010
【図９】
2008204465.tif 000011
【図１０】
2008204465.tif 000012
【図１１】
2008204465.tif 000013
【図１２】
2008204465.tif 000014